(57)【要約】【課題】カバーロック機構の提供。【解決手段】カバーロック機構は、カバーに組み付けられてカバーをカバーフレームにロックする。まず、カバーのハンドル回転軸を回して、そのカムの案内作用でカバーのスライドを水平方向にスライドさせ、さらにスライドに設けられた係合手段をカバーフレームの対応する係合手段に係合させればロックが完成する。カム回転作用によりスライドが水平移動する速度がハンドル回転軸の回転角度と正比例の関係を形成し、カバーハンドル回転軸を回す時に施力の不順調な現象の発生がない。このほか、構造が簡単で、大量のネジを必要とせず、部品数を効果的に減少でき、ロック機構の組み付けと取り外しの便利性を高めている。【選択図】        図１
2004310698.tif 000002
【特許請求の範囲】
【請求項１】
カバーに組み付けられて該カバーをカバーフレームにロックするのに供され、該カバーに円孔が形成されると共に少なくとも一つの第１水平スライド手段が凸設され、該カバーフレームに少なくとも一つの第１水平係合手段が形成された、カバーロック機構において、該カバーロック機構が、スライド、回転片、カバーハンドル回転軸を具え、
該スライドが少なくとも一つの第２水平スライド手段、少なくとも一つの第２水平係合手段、少なくとも一つの第２カム手段、及び逃し孔を具え、
該回転片が、少なくとも一つの第１カム手段、中心孔、及び少なくとも一つの施力部を具え、
該カバーハンドル回転軸が、該円孔、該逃し孔、及び中心孔を通り、該回転片を該カバーに枢設し、且つ該カバーハンドル回転軸に少なくとも一つの駆動ブロックが形成されて該駆動ブロックが回転片の施力部に対応し組み付けられて該回転片を駆動してその中心孔に沿って回転させ、該回転片の第１カム手段がカム回転作用により、該スライドの第２カム手段を駆動し、該スライドの第２水平スライド手段が、該カバーの第１水平スライド手段に沿ってスライドし、該スライドの第２水平係合手段が該カバーフレームの第１水平係合手段に対応し係合することを特徴とする、カバーロック機構。
【請求項２】
請求項１記載のカバーロック機構において、カバーハンドル回転軸が少なくとも一つのフックを具え、このフックが回転片に係合することにより、回転片がカバーに枢設されることを特徴とする、カバーロック機構。
【請求項３】
請求項１記載のカバーロック機構において、カバーの第１水平スライド手段が案内凸塊とされ、且つスライドの第２水平スライド手段が水平滑り溝とされたことを特徴とする、カバーロック機構。
【請求項４】
請求項１記載のカバーロック機構において、スライドの第２カム手段が案内凸柱とされ、回転片の第１カム手段がカム円弧溝とされたことを特徴とする、カバーロック機構。
【請求項５】
請求項１記載のカバーロック機構において、回転片に複数の凸点が形成され、この凸点がスライドに当接することを特徴とする、カバーロック機構。
【発明の詳細な説明】
【０００１】
【発明の属する技術分野】
本発明は一種のカバーロック機構に係り、家電、電子、情報製品に適用され、特に、コンピュータケースのカバーのロックに適用されるカバーロック機構に関する。
【０００２】
【従来の技術】
一般に、家電、電子、或いは情報製品中、往々にしてロック機構によりその製品のバーが製品の箱体或いはフレームにロックされ、コンピュータケースを例に挙げると、周知の方法は、ネジ止めの方式により、ケースのカバーをケースフレームに固定している。
【０００３】
ネジ止めのほか、連接棒機構によりロックする方式もある。図６は周知の連接棒機構ロック装置であり、その伝動方式は、先にそのカバーハンドル回転軸９１を回して、カバーハンドル回転軸９１で両側の連接棒９２、９３を駆動して上下に運動させ、連接棒９２、９３の一端が上下に運動することにより、それぞれフレーム９４のロック孔９５内に嵌合し、これによりカバー９０のロックを達成する、というものである。しかし、連接棒９２、９３の上下運動は単振動であり、カバーハンドル回転軸９１が回転する時、各回転角度が施す力はいずれも異なり、則ちカバー９０がロック或いはロック解除される時にカバーハンドル回転軸９１の回転施力が不順調となる状況が発生する。このほか、このような連接棒機構は多くの固定用のネジが必要で、部品数が多くなり、組み付け或いは取り外し時にも手間がかかり不便である。
【０００４】
【発明が解決しようとする課題】
本発明の主要な目的は、一種のカバーロック機構を提供することにあり、それは、簡易化された構造により部品数を減らし、並びにロック機構の組み付けと取り外しの便利性を増すと共に、カバーハンドル回転軸の回転時に施力不順調となる状況を発生しないものとする。
【０００５】
【課題を解決するための手段】
請求項１の発明は、カバーに組み付けられて該カバーをカバーフレームにロックするのに供され、該カバーに円孔が形成されると共に少なくとも一つの第１水平スライド手段が凸設され、該カバーフレームに少なくとも一つの第１水平係合手段が形成された、カバーロック機構において、該カバーロック機構が、スライド、回転片、カバーハンドル回転軸を具え、
該スライドが少なくとも一つの第２水平スライド手段、少なくとも一つの第２水平係合手段、少なくとも一つの第２カム手段、及び逃し孔を具え、
該回転片が、少なくとも一つの第１カム手段、中心孔、及び少なくとも一つの施力部を具え、
該カバーハンドル回転軸が、該円孔、該逃し孔、及び中心孔を通り、該回転片を該カバーに枢設し、且つ該カバーハンドル回転軸に少なくとも一つの駆動ブロックが形成されて該駆動ブロックが回転片の施力部に対応し組み付けられて該回転片を駆動してその中心孔に沿って回転させ、該回転片の第１カム手段がカム回転作用により、該スライドの第２カム手段を駆動し、該スライドの第２水平スライド手段が、該カバーの第１水平スライド手段に沿ってスライドし、該スライドの第２水平係合手段が該カバーフレームの第１水平係合手段に対応し係合することを特徴とする、カバーロック機構としている。
請求項２の発明は、請求項１記載のカバーロック機構において、カバーハンドル回転軸が少なくとも一つのフックを具え、このフックが回転片に係合することにより、回転片がカバーに枢設されることを特徴とする、カバーロック機構としている。
請求項３の発明は、請求項１記載のカバーロック機構において、カバーの第１水平スライド手段が案内凸塊とされ、且つスライドの第２水平スライド手段が水平滑り溝とされたことを特徴とする、カバーロック機構としている。
請求項４の発明は、請求項１記載のカバーロック機構において、スライドの第２カム手段が案内凸柱とされ、回転片の第１カム手段がカム円弧溝とされたことを特徴とする、カバーロック機構としている。
請求項５の発明は、請求項１記載のカバーロック機構において、回転片に複数の凸点が形成され、この凸点がスライドに当接することを特徴とする、カバーロック機構としている。
【０００６】
【発明の実施の形態】
上述の目的を達成するため、本発明のカバーロック機構は、カバーに組み付けられ、このカバーをカバーフレームにロックするのに供され、且つこのカバーに円孔が形成され、並びに少なくとも一つの第１水平スライド手段が凸設され、カバーフレームには少なくとも一つの第１水平係合手段が形成されている。
【０００７】
このほか、本発明のカバーロック機構は、別にスライド、回転片、及びカバーハンドル回転軸を具えている。そのうち、スライドは少なくとも一つの第２水平スライド手段、少なくとも一つの第２水平係合手段、少なくとも一つの第２カム手段、及び逃し孔を具え、回転片は少なくとも一つの第１カム手段、中心孔、及び少なくとも一つの施力部を具え、カバーハンドル回転軸は、上述のカバーの円孔、スライドの逃し孔、及び回転片の中心孔を通り回転片をカバーに枢設し、またカバーハンドル回転軸に別に少なくとも一つの駆動ブロックが形成されて、該駆動ブロックが回転片の施力部に対応して組み付けられ、カバーハンドル回転軸が回されることにより、回転片が駆動されてその中心孔に沿って回転し、且つ回転片の第１カム手段がカム回転作用によりスライドの第２カム手段を駆動し、スライドをその第２水平スライド手段を以てカバーの第１水平スライド手段上でスライドさせ、これによりスライドの第２水平係合手段がカバーの第１水平係合手段に対応係合し、こうしてカバーがカバーフレームにロックされる。反対に、カバーハンドル回転軸が反対に回されると、スライドの第２水平係合手段がカバーフレームの第１水平係合手段より離脱し、カバーが取り外される。
【０００８】
【実施例】
図１は本発明をコンピュータケース１に実施した応用表示図であり、そのうち、本発明のカバーロック機構は、コンピュータのサイドカバー１１に取り付けられ、該サイドカバー１１をケース１のフレーム１２に固定するのに供される。図２は本発明の分解斜視図であり、図３は本発明の断面図である。本実施例中、サイドカバー１１の機構設計は、鉄部品１００とプラスチック部品１１０が組み合わされてなり、このような設計は本発明の応用に影響を与えず、且つ該サイドカバー１１はまた単一部品の設計とされうる。鉄部品１００とプラスチック部品１１０にはそれぞれ円孔１０１、１１１が設けられ、鉄部品１００には四つの第１水平スライド手段１１２が凸設され、フレーム１２には四つの第１水平係合手段１２１が形成されている。本実施例では、第１水平スライド手段１１２は案内凸塊とされ、第１水平係合手段１２１は凹孔とされる。
【０００９】
このほか、図中には別にスライド２が表示され、それは四つの第２水平スライド手段２１、四つの第２水平係合手段２２、二つの第２カム手段２３、及び逃し孔２４を具え、本実施例では、第２水平スライド手段２１は水平滑り溝とされ、第２水平係合手段２２はフックとされ、第２カム手段２３は案内凸柱とされる。別に図中の回転片３は二つの第１カム手段３１、中心孔３２、二つの施力部３３を具え、本実施例では、第１カム手段３１はカム円弧溝とされる。また、カバーハンドル回転軸４が、鉄部品１００とプラスチック部品１１０の円孔１０１、１１１、スライド２の逃し孔２４、及び回転片３の中心孔３２を通り、回転片３をサイドカバー１１に枢設し、且つカバーハンドル回転軸４に二つの駆動ブロック４１が形成されて、回転片３の施力部３３に対応し組み付けられ、本実施例では、カバーハンドル回転軸４にさらに二つのフック４２が形成されて回転片３に係合し、フック４２のセルフロック方式を利用して、回転片３が緊密にサイドカバー１１に枢設される。当然、フック４２の係止方式は、ネジ止め、緊合、嵌止、接着等の方式に改変しうる。
【００１０】
図３、４はアンロック状態の表示図であり、図５はロック状態の表示図である。図４のアンロック状態から図５のロック状態となす時、まず、カバーハンドル回転軸４を回してカバーハンドル回転軸４の駆動ブロック４１で回転片３の施力部３３に施力し、これにより回転片３を駆動してその中心孔３２に沿って回転させる。このとき、回転片３の第１カム手段３１（カム円弧溝）はカム回転作用によりスライド２の第２カム手段２３（案内凸柱）を駆動すると共に、スライド２の第２水平スライド手段２１（案内凸塊）をサイドカバー１１の第１水平スライド手段１１２（案内凸塊）に沿ってスライドさせ、スライド２の第２水平係合手段２２（フック）をフレーム１２の第１水平係合手段１２１（凹孔）に係合させ、これにより図５のロック状態を完成する。反対に、図５のロック状態から図４のアンロック状態となす時は、逆にカバーハンドル回転軸４を回せばよく、カバーハンドル回転軸４の回転方向状態が分かるように、カバーハンドル回転軸４には刻印或いはシール等の方式で三角形の矢印マーク４３が設けられる。
【００１１】
これにより、回転片３のカム回転作用により、スライド２の水平移動速度がカバーハンドル回転軸４の回転角度と正比例の関係を形成し、ゆえにカバーハンドル回転軸４が回される時、施力の不順調の現象が発生しない。このほか、上述の構造は従来の技術のように過多のネジで連接棒機構を設置する問題がなく、ゆえに部品数を減少でき、並びにロック機構の組み付けと取り外しの便利性の目的を達成する。
【００１２】
上述の第１カム手段３１に使用されるカム円弧溝、及び第２カム手段２３に使用される案内凸柱の間は相反するよう配置され、則ち、第１カム手段３１に案内凸柱が使用され、第２カム手段２３にカム円弧溝を使用した形態も可能である。同様に、第１水平スライド手段１１２（案内凸塊）と第２水平スライド手段２１（水平滑り溝）、第１水平係合手段１２１（凹孔）と第２水平係合手段２２（フック）の間も、逆の配置が可能である。
【００１３】
図２に示されるように、回転片３の回転を順調とするため、本実施例の回転片３には複数の凸点３４が凸設され、これら凸点３４はスライド２に当接し、点接触の方式で回転片３の回転時の摩擦力を減少する。同様に、これら凸点３４もまた反対にスライド２に設けられ得る。
【００１４】
以上の実施例は本発明の実施範囲を限定するものではなく、本発明に基づきなしうる細部の修飾或いは改変は、いずれも本発明の請求範囲に属するものとする。
【００１５】
【発明の効果】
本発明のカバーロック機構は、カバーに組み付けられてカバーをカバーフレームにロックする。まず、カバーのハンドル回転軸を回して、そのカムの案内作用でカバーのスライドを水平方向にスライドさせ、さらにスライドに設けられた係合手段をカバーフレームの対応する係合手段に係合させればロックが完成する。カム回転作用によりスライドが水平移動する速度がハンドル回転軸の回転角度と正比例の関係を形成し、カバーハンドル回転軸を回す時に施力の不順調な現象の発生がない。このほか、構造が簡単で、大量のネジを必要とせず、部品数を効果的に減少でき、ロック機構の組み付けと取り外しの便利性を高めている。
【図面の簡単な説明】
【図１】本発明をコンピュータケースに実施した応用表示図である。
【図２】本発明の分解斜視図である。
【図３】本発明の断面図である。
【図４】本発明のアンロック状態の表示図である。
【図５】本発明のロック状態の表示図である。
【図６】周知の連接棒ロック装置の表示図である。
【符号の説明】
１  ケース      １１  サイドカバー      １００  鉄部品
１１０  プラスチック部品          １０１、１１１  円孔
１１２  第１水平スライド手段      １２  フレーム
１２１  第１水平係合手段          ２  スライド
２１  第２水平スライド手段
２２  第２水平係合手段            ２３  第２カム手段
２４  逃し孔                      ３  回転片
３１  第１カム手段                ３２  中心孔
３３  施力部                      ３４  凸点
４  カバーハンドル回転軸          ４１  駆動ブロック
４２  フック                      ４３  矢印マーク
９０  カバー                      ９１  カバーハンドル回転軸
９２、９３  連接棒                ９４  カバーフレーム
９５  ロック孔
【図１】
2004310698.tif 000003
【図２】
2004310698.tif 000004
【図３】
2004310698.tif 000005
【図４】
2004310698.tif 000006
【図５】
2004310698.tif 000007
【図６】
2004310698.tif 000008